(57)【特許請求の範囲】
【請求項１】
記述言語により表現された表示データを入力し、上記表示データの記述内容が外部ファイルを参照しているか否かにより、上記表示データを再現性優先の表示データと識別性優先の表示データに分類する表示データ種別分類手段と、
予め定められた色覚データを記憶する色変換テーブルと、
上記表示データ種別分類手段が分類した識別性優先の表示データの中で、視覚障害を持つ使用者が識別しにくい表示色を、上記色変換テーブルに記憶されている色覚データを用いて識別しやすい表示色に変換し、色変換済み表示データを出力する色変換部と、
上記表示データ種別分類手段が分類した再現性優先の表示データと、上記色変換部が出力した色変換済み表示データを合成し、ビデオ表示データに変換する表示データ合成部と、
上記表示データ合成部が変換したビデオ表示データを画面上に表示するカラー表示パネルとを
備えたことを特徴とするカラー表示システム。
【請求項２】
表示データ種別分類手段が、
参照した外部ファイルの形式により又は参照した外部ファイルが使用している色数により、入力した表示データを再現性優先の表示データと識別性優先の表示データに分類する
ことを特徴とする請求項１記載のカラー表示システム。
【請求項３】
記述言語により表現された表示データを入力し、外部照度が規定値より暗い場合に、上記表示データの記述内容が外部ファイルを参照しているか否かにより、再現性優先の表示データと識別性優先の表示データに分類する表示データ種別分類手段と、
予め定められた色覚データを記憶する色変換テーブルと、
上記表示データ種別分類手段が分類した識別性優先の表示データの中で、視覚障害を持つ使用者が識別しにくい表示色を、上記色変換テーブルに記憶されている色覚データを用いて識別しやすい表示色に変換し、色変換済み表示データを出力する色変換部と、
上記表示データ種別分類手段が分類した再現性優先の表示データと、上記色変換部が出力した色変換済み表示データを合成し、ビデオ表示データに変換する表示データ合成部と、
上記表示データ合成部が変換したビデオ表示データを画面上に表示するカラー表示パネルとを
備えたことを特徴とするカラー表示システム。
【請求項４】
記述言語により表現された表示データを入力し、上記表示データの記述内容が外部ファイルを参照しているか否かにより、上記表示データを再現性優先の表示データと識別性優先の表示データに分類する第１のステップと、
上記識別性優先の表示データの中で、視覚障害を持つ使用者が識別しにくい表示色を識別しやすい表示色に変換し、色変換済み表示データを出力する第２のステップと、
上記再現性優先の表示データと上記色変換済み表示データを合成し、ビデオ表示データに変換する第３のステップと、
上記ビデオ表示データを画面上に表示する第４のステップとを
備えたことを特徴とするカラー表示方法。
【請求項５】
第１のステップにおいて、参照した外部ファイルの形式により又は参照した外部ファイルが使用している色数により、入力した表示データを再現性優先の表示データと識別性優先の表示データに分類する
ことを特徴とする請求項４記載のカラー表示方法。
【請求項６】
記述言語により表現された表示データを入力し、外部照度が規定値より暗い場合に、上記表示データの記述内容が外部ファイルを参照しているか否かにより、再現性優先の表示データと識別性優先の表示データに分類する第１のステップと、
上記識別性優先の表示データの中で、視覚障害を持つ使用者が識別しにくい表示色を識別しやすい表示色に変換し、色変換済み表示データを出力する第２のステップと、
上記再現性優先の表示データと上記色変換済み表示データを合成し、ビデオ表示データに変換する第３のステップと、
上記ビデオ表示データを画面上に表示する第４のステップとを
備えたことを特徴とするカラー表示方法。
【発明の詳細な説明】
【０００１】
【発明の属する技術分野】
この発明は色覚障害者用のカラー表示システム及びカラー表示方法に関するものである。
【０００２】
【従来の技術】
近年、携帯電話機、携帯情報端末等の携帯端末装置において、使用者の操作性の向上を目的として、これまでの白黒又はグレイスケールの表示パネルに代わって、カラー液晶ディスプレイ等のカラー表示パネルが使用されている。
【０００３】
これらカラー表示パネルの色相は、一般的な健常者の視覚特性から統計的に決定されていることから、色盲、色弱等の色覚障害者にとっては、識別しにくいものであり、白黒又はグレイスケールの表示パネルに比べて、かえって操作性が低下するという課題があった。
【０００４】
図１０は例えば、特開平８−１６１２９号公報や特開平１１−１７５０５０号公報に開示された従来の色覚障害者用のカラー表示システムであり、上記課題を解決するために、色覚障害者が識別しにくい表示色を、他の表示色に代替又は変換する機能を提供している。
【０００５】
図１０において、２は予め定められた色覚データを記憶する色変換テーブル、３は、表示データ１１を入力し、色変換テーブル２を用いて表示データ１１の色変換を行う色変換部、５は色変換部３から出力されるビデオ表示データ１５を入力してカラー表示を行うカラー表示パネルである。
【０００６】
次に動作について説明する。
色変換部３は入力された表示データ１１の中で、色覚障害者が識別しにくい表示色を、色変換テーブル２に記憶されている色覚データに基づき、識別しやすい表示色に代替又は変換する。そして、識別しやすい表示色に代替又は変換されたビデオ表示データ１５は、カラー表示パネル５上に出力されて表示される。
【０００７】
このように、入力された表示データ１１の中で、色覚障害者が識別しにくい特定の表示色が、表示内容やこの携帯端末装置の使用環境にかかわらず、識別しやすい表示色に一意に代替又は変換されている。
【０００８】
ここで、カラー表示パネルに表示される内容に目を向けると、使用者の操作対象となるボタン、メニュー等のユーザインタフェース部分や、写真や映画等の画像データ部分があり、両者は通常、組み合わされて一度にカラー表示パネル上に表示されるが、両者に対する色変換処理の要求は異なるものである。
【０００９】
すなわち、使用者の操作対象となるユーザインタフェース部分は、識別しやすいことが重要であり、色覚障害を持つ使用者に対しては、識別しやすい表示色への変換を行なうことが求められる。以下、このような要求を持つ表示データを識別性優先の表示データと称する。
【００１０】
これに対して、写真等の画像データ部分は、普段、実物を色覚しているときに近い表示色で表示されることが重要であり、色覚障害を持つ使用者に対しても、識別しやすい表示色への変換を行なうことは求められず、逆に、実物の見え方と表示色の変換や代替が行なわれた表示パネル上の見え方とが異なり、かえって不便である。以下、このような要求を持つ表示データを再現性優先の表示データと称する。
【００１１】
【発明が解決しようとする課題】
このように、従来の色覚障害者用のカラー表示システムは、表示する内容に係わらず一様に表示色を変換するために、使用者が望まない表示データ部分、例えば、写真等の再現性優先の表示データまでが変換されてしまうという課題があった。
【００１２】
また、従来の色覚障害者用のカラー表示システムは、ワークステーション、パソコン等の据置型ＯＡ機器を対象としているために、屋内、屋外といった装置の使用環境が表示パネルの識別性に与える影響について考慮されておらず、使用環境が変化する携帯端末装置に応用できないという課題があった。
【００１３】
この発明は上記のような課題を解決するためになされたもので、色覚障害を持つ使用者に対して、カラー表示パネルに表示される表示内容のうち、識別性優先の表示データ部分のみを識別しやすい表示色に変換して表示するカラー表示システム及びカラー表示方法を得ることを目的とする。
【００１４】
また、携帯端末装置等の屋外、屋内を移動して使用する装置に対応して、色覚障害を持つ使用者に対して、使用環境の照度にあわせて、識別しやすい表示色に変換するカラー表示システム及びカラー表示方法を得ることを目的とする。
【００１５】
【課題を解決するための手段】
この発明に係るカラー表示システムは、記述言語により表現された表示データを入力し、上記表示データの記述内容が外部ファイルを参照しているか否かにより、上記表示データを再現性優先の表示データと識別性優先の表示データに分類する表示データ種別分類手段と、予め定められた色覚データを記憶する色変換テーブルと、上記表示データ種別分類手段が分類した識別性優先の表示データの中で、視覚障害を持つ使用者が識別しにくい表示色を、上記色変換テーブルに記憶されている色覚データを用いて識別しやすい表示色に変換し、色変換済み表示データを出力する色変換部と、上記表示データ種別分類手段が分類した再現性優先の表示データと、上記色変換部が出力した色変換済み表示データを合成し、ビデオ表示データに変換する表示データ合成部と、上記表示データ合成部が変換したビデオ表示データを画面上に表示するカラー表示パネルとを備えたものである。
【００１８】
この発明に係るカラー表示システムは、表示データ種別分類手段が、参照した外部ファイルの形式により又は参照した外部ファイルが使用している色数により、入力した表示データを再現性優先の表示データと識別性優先の表示データに分類するものである。
【００１９】
この発明に係るカラー表示システムは、記述言語により表現された表示データを入力し、外部照度が規定値より暗い場合に、上記表示データの記述内容が外部ファイルを参照しているか否かにより、再現性優先の表示データと識別性優先の表示データに分類する表示データ種別分類手段と、予め定められた色覚データを記憶する色変換テーブルと、上記表示データ種別分類手段が分類した識別性優先の表示データの中で、視覚障害を持つ使用者が識別しにくい表示色を、上記色変換テーブルに記憶されている色覚データを用いて識別しやすい表示色に変換し、色変換済み表示データを出力する色変換部と、上記表示データ種別分類手段が分類した再現性優先の表示データと、上記色変換部が出力した色変換済み表示データを合成し、ビデオ表示データに変換する表示データ合成部と、上記表示データ合成部が変換したビデオ表示データを画面上に表示するカラー表示パネルとを備えたものである。
【００２０】
この発明に係るカラー表示方法は、記述言語により表現された表示データを入力し、上記表示データの記述内容が外部ファイルを参照しているか否かにより、上記表示データを再現性優先の表示データと識別性優先の表示データに分類する第１のステップと、上記識別性優先の表示データの中で、視覚障害を持つ使用者が識別しにくい表示色を識別しやすい表示色に変換し、色変換済み表示データを出力する第２のステップと、上記再現性優先の表示データと上記色変換済み表示データを合成し、ビデオ表示データに変換する第３のステップと、上記ビデオ表示データを画面上に表示する第４のステップとを備えたものである。
【００２１】
この発明に係るカラー表示方法は、第１のステップにおいて、参照した外部ファイルの形式により又は参照した外部ファイルが使用している色数により、入力した表示データを再現性優先の表示データと識別性優先の表示データに分類するものである。
【００２２】
この発明に係るカラー表示方法は、記述言語により表現された表示データを入力し、外部照度が規定値より暗い場合に、上記表示データの記述内容が外部ファイルを参照しているか否かにより、再現性優先の表示データと識別性優先の表示データに分類する第１のステップと、上記識別性優先の表示データの中で、視覚障害を持つ使用者が識別しにくい表示色を識別しやすい表示色に変換し、色変換済み表示データを出力する第２のステップと、上記再現性優先の表示データと上記色変換済み表示データを合成し、ビデオ表示データに変換する第３のステップと、上記ビデオ表示データを画面上に表示する第４のステップとを備えたものである。
【００２３】
【発明の実施の形態】
以下、この発明の実施の一形態を説明する。
実施の形態１．
図１はこの発明の実施の形態１によるカラー表示システムの構成を示すブロック図である。図において、１は、入力された表示データ１１を、色変換しない表示データ１２と、色変換する表示データ１３とに分類する表示データ種別分類部である。なお、この表示データ１１は、携帯端末装置内部の記憶部（図示せず）に蓄えられていたり、携帯端末装置が接続するネットワークからダウンロードされる。
【００２４】
２は予め定められた色覚データを記憶する色変換テーブルであり、入力された表示データ１１を構成する特定の色覚しにくい表示色を、より色覚しやすい別の表示色に変換するためのテーブルを記憶する。例えば、色覚しにくい表示色である赤紫と色覚しやすい表示色である黄を対で記憶している。３は色変換テーブル２に基づいて、色覚障害を持つ使用者が識別しにくい表示色を識別しやすい表示色に変換して、色変換済み表示データ１４を出力する色変換部である。
【００２５】
４は色変換しない表示データ１２と、色変換済み表示データ１４を合成し、ビデオ表示データ１５に変換する表示データ合成部で、５は表示データ合成部４から出力されるビデオ表示データ１５を入力してカラー表示を行うカラー表示パネルである。
【００２６】
図２は記述言語により表現されるＨＴＭＬ（Ｈｙｐｅｒｔｅｘｔ  Ｍａｒｋｕｐ  Ｌａｎｇｕａｇｅ）ファイルの表示データ１１の構成の例を示す図であり、図において、２１はカラー表示パネル５の画面上に、ラベル「メッセージを表示」を表示するためのラベル表示データ部分で、２２はカラー表示パネル５の画面上に、写真を表示するための写真表示データ部分で、２３はカラー表示パネル５の画面上に、２個のボタンを表示するためのボタン表示データ部分である。
【００２７】
ここで、ラベル表示データ部分２１とボタン表示データ部分２３は、使用者の操作対象となるユーザインタフェース部分で識別性優先の表示データであり、写真表示データ部分２２は、写真等の画像データ部分で再現性優先の表示データである。
【００２８】
図３は図２に示す表示データ１１をカラー表示パネル５上に表示した例を示す図である。図において、３１はカラー表示パネル５上に表示されたラベルテキストであり、図２のラベル表示データ２１によって指定された表示であり、３２はカラー表示パネル５上に表示された写真で、図２の写真表示データ２２によって指定された表示であり、３３はカラー表示パネル５上に表示されたボタンで、図２のボタン表示データ２３によって指定された表示である。
【００２９】
次に動作について説明する。
図４はこの発明の実施の形態１による仕様表を示す図であり、ここでは、図２に示す表示データ１１を入力し、赤緑色覚障害を持つ使用者を対象として、表示操作に必要なラベル、ボタン等のユーザインタフェース部分は色変換を実施して識別性を優先させ、写真等の画像データ部分は色変換を実施せずに再現性を優先させて、図３に示す表示を得る場合を説明する。
【００３０】
図５はこの発明の実施の形態１による表示データの分類と色変換の処理を示すフローチャートである。ステップＳＴ１において、携帯端末装置内部の記憶部、又は携帯端末装置が接続されているネットワーク等を経由して、図２に示す記述言語の形式を取るＨＴＭＬファイルの表示データ１１が表示データ種別分類部１に入力され、表示データ種別分類部１が入力された表示データ１１を読み込む。ここでは、図２に示す記述言語の形式をとる表示データ１１のリストの上方から順次読み込まれる。すなわち、最初にラベル表示データ２１が読み込まれる。
【００３１】
ステップＳＴ２において、表示データ種別分類部１は、ラベル表示データ２１が、ＨＴＭＬファイル以外の外部ファイルを参照しているかを判定する。この判定は、ＨＴＭＬファイル中にｉｍｇ等の外部ファイルを参照する必要のある所定のタグを検出することにより行われる。ラベル表示データ２１の記述内容では、ｉｍｇ等の外部ファイルを参照する所定のタグがなく、直接表示するラベルテキストを指定しているので、表示データ種別分類部１は、ラベル表示データ２１が写真やムービーではないユーザインタフェース部分であると判定し、ラベル表示データ２１を色変換する表示データ１３として色変換部３に出力する。
【００３２】
ステップＳＴ３において、色変換部３は、ラベル表示データ２１に、視覚障害を持つ使用者が識別しにくい表示色である赤紫部分があるかを判定し、赤紫部分がある場合には、ステップＳＴ４において、色変換部３は赤紫部分を識別しやすい表示色である黄に変換する。このとき、色変換部３は、色変換の対象となる識別しにくい表示色である赤紫部分と識別しやすい表示色である黄を、色変換テーブル２から取得する。上記ステップＳＴ３で、赤紫部分がない場合にはステップＳＴ５に移行する。
【００３３】
ステップＳＴ５において、色変換部３は、ラベル表示データ２１に、同様に視覚障害を持つ使用者が識別しにくい表示色である緑部分があるかを判定し、緑部分がある場合には、ステップＳＴ６において、色変換部３は緑部分を識別しやすい表示色である青に変換する。このとき、色変換部３は、色変換の対象となる識別しにくい表示色である緑部分と識別しやすい表示色である青を、色変換テーブル２から取得する。上記ステップＳＴ５で、緑部分がない場合にはステップＳＴ７に移行する。色変換部３は、上記ステップＳＴ３〜ＳＴ６の処理を終了したラベル表示データ２１を、色変換済み表示データ１４として表示データ合成部４に出力する。
【００３４】
ステップＳＴ７において、全ての表示データ１１の分類、色変換が終了しているかが判断される。図２に示した表示データ１１の例では、まだ終了していないのでステップＳＴ１に戻り、表示データ種別分類部１が次の写真表示データ２２を読み込む。
【００３５】
ステップＳＴ２において、表示データ種別分類部１は写真表示データ２２が外部ファイルを参照しているかを判定する。写真表示データ２２の記述内容では、ｉｍｇのタグにより外部ファイルｃｏｌｏｒｐｉｃｔ．ｊｐｇを参照しているため、ステップＳＴ８において、表示データ種別分類部１は外部ファイルｃｏｌｏｒｐｉｃｔ．ｊｐｇをオープンする。
【００３６】
ステップＳＴ９において、表示データ種別分類部１は、外部ファイルのファイル形式が写真形式であるか判定を行なう。この例では、表示データ種別分類部１は、一般に写真に利用されるＪＰＥＧ形式であることから写真形式であると判定し、写真表示データ２２を色変換しない表示データ１２として表示データ合成部４に出力し、ステップＳＴ７に移行する。
【００３７】
上記ステップＳＴ９で、仮に外部ファイルのファイル形式が、写真形式でないと判定した場合には、ステップＳＴ１０において、表示データ種別分類部１は、外部ファイルのファイル形式がムービー形式であるかの判定を行なう。ムービー形式であった場合には、色変換処理を行なわずにステップＳＴ７に移行し、ムービー形式でなかった場合には、読み込んだデータは写真、ムービー等の再現性優先の表示データでないと判定され、上記ステップＳＴ３〜ＳＴ６により、色変換部３は使用されている識別しにくい表示色を識別しやすい表示色に変換する。
【００３８】
ステップＳＴ７において、全ての表示データ１１の分類、色変換が終了しているかが判断される。図２に示した表示データ１１の例では、まだ終了していないのでステップＳＴ１に戻り、表示データ種別分類部１が次のボタン表示データ２３を読み込む。
【００３９】
ステップＳＴ２において、表示データ種別分類部１は、ボタン表示データ２３が外部ファイルを参照しているかを判定する。ボタン表示データ２３の記述内容では、ｉｍｇ等の外部ファイルを参照する所定のタグがないので、ユーザインタフェース部分であると判定し、ボタン表示データ２３を色変換する表示データ１３として色変換部３に出力する。色変換部３は、ステップＳＴ３〜ＳＴ６において、ボタン表示データ２３を、ラベル表示データ２１と同様にして色変換を行ない、色変換済み表示データ１４として表示データ合成部４に出力する。
【００４０】
ステップＳＴ７において、表示データ１１の分類、変換処理が終了している場合には、図５に示す一連の処理を終了する。
【００４１】
そして、表示データ合成部４は、表示データ種別分類部１から出力された色変換しない表示データ１２である写真表示データ２２と、色変換部３から出力された色変換済み表示データ１４であるラベル表示データ２１、ボタン表示データ２３を合成してビデオ表示データ１５に変換する。カラー表示パネル５は表示データ合成部４から出力されたビデオ表示データ１５を入力して、図３に示すカラー表示を行う。
【００４２】
以上のように、この実施の形態１によれば、表示データ１１の種別により、色変換処理を実施するようにしているので、操作に必要な表示の識別性を向上させると共に、再現性が重要視される画像データの表示に影響を与えずに表示することができるという効果が得られる。
【００４３】
また、この実施の形態１によれば、識別性が必要な部分のみを選択して色変換を実施しているので、全ての表示データ１１を色変換する場合と比較し、表示データの分類処理は色変換処理に比べて単純な処理であることから、全体の処理時間を短縮することができるという効果が得られる。
【００４４】
実施の形態２．
この実施の形態２によるカラー表示システムの構成は、実施の形態１の図１と同じである。実施の形態１では、外部ファイルの形式が写真やムービー等の表示データであるかを判定することにより、色変換を実施する対象とするかを分類しているが、この実施の形態２は、外部ファイルが使用している色数を調査することにより、表示データを分類するものである。
【００４５】
次に動作について説明する。
図６はこの発明の実施の形態２による表示データの分類と色変換の処理を示すフローチャートである。図６におけるステップＳＴ１〜ＳＴ８までの処理は、実施の形態１の図５に示すステップＳＴ１〜ＳＴ８までの処理と同じである。
【００４６】
図６のステップＳＴ８で外部ファイルをオープンした後、ステップＳＴ２１において、表示データ種別分類部１は、外部ファイルで使用されている色数を計算する。一般に、画像データにおいては、ファイルのヘッダ部分に、使用されている色数を示すフィールドが用意されている。
【００４７】
ステップＳＴ２２において、表示データ種別分類部１は、色数が規定値を超えているかを判定する。一般に、写真やムービー等の画像データ部分は２５６色以上の色数が使用され、一方、表示操作に係るユーザインタフェース部分は、１６色以下で構成されることが多い。そこで、ここでは規定値を２５６色とし、２５６色を超える色数を使用している外部ファイルは、写真やムービー等の画像データ部分であると判定し、２５６色以下の色数を使用している外部ファイルは、表示操作に係るユーザインタフェース部分と判定する。
【００４８】
上記ステップＳＴ２２の判定の結果、外部ファイルが２５６色を超える色数を使用している場合は、表示データ種別分類部１は、読み込んだ表示データ部分を色変換しない表示データ１２として表示データ合成部４に出力し、ステップＳＴ７に移行する。
【００４９】
また、上記ステップＳＴ２２の判定の結果、外部ファイルが２５６色以下の色数を使用している場合は、表示データ種別分類部１は、読み込んだ表示データ部分を色変換する表示データ１３として色変換部３に出力する。色変換部３は、ステップＳＴ３〜ＳＴ６において色変換を行ない、色変換済み表示データ１４として表示データ合成部４に出力する。その後の表示データ合成部４、カラー表示パネル５の処理については、実施の形態１と同じである。
【００５０】
以上のように、この実施の形態２によれば、表示データ１１の種別により、色変換処理を実施するようにしているので、操作に必要な表示の識別性を向上させると共に、再現性が重要視される画像データの表示に影響を与えずに表示することができるという効果が得られる。
【００５１】
また、この実施の形態２によれば、識別性が必要な部分のみを選択して色変換を実施しているので、全ての表示データ１１を色変換する場合と比較し、表示データの分類処理は色変換処理に比べて単純な処理であることから、全体の処理時間を短縮することができるという効果が得られる。
【００５２】
実施の形態３．
図７はこの発明の実施の形態３によるカラー表示システムの構成を示すブロック図であり、図において、６はこの携帯端末装置に接続され、この携帯端末装置の使用場所の照度を測定するカメラである。その他の構成は、実施の形態１の図１に示す構成と同等である。この実施の形態は、表示データの種別のみならず、携帯端末装置の使用場所の明るさにより、色変換を実施するか否かを判定するものである。
【００５３】
次に動作について説明する。
図８はこの発明の実施の形態３による仕様表を示す図である。近年、携帯端末装置のカラー表示パネル５として多く採用される反射型液晶パネルは、明るい場所でより鮮やかに表示される特性を有している。従って、ここでは、図８に示すように、識別性が優先されるユーザインタフェース部分であっても、明るい場所で使用されている場合は、十分な識別性が得られるものと仮定して、色変換を実施せずに、暗い場所で使用されているときのみ色変換を実施して、識別しやすい表示色を使用するものとする。
【００５４】
図９はこの発明の実施の形態３による表示データの分類と色変換の処理を示すフローチャートである。ステップＳＴ３１において、表示データ種別分類部１はカメラ６から携帯端末装置の使用環境における外部照度を取得する。
【００５５】
ステップＳＴ３２において、表示データ種別分類部１は、取得した外部照度を予め設定した規定値ＬＸａと比較する。ここで、規定値ＬＸａは使用者がカラー表示パネル５上の表示色を識別しにくくなる明るさのしきい値であり、使用するカラー表示パネル５の特性や使用者の視覚特性から統計的に計算され、予め設定されるものである。
【００５６】
上記ステップＳＴ３２の判定の結果、取得した外部照度が規定値ＬＸａよりも明るかった場合には、表示データ種別分類部１による表示データの分類、色変換部３による色変換処理は行なわずに、図９に示す処理を終了する。
【００５７】
上記ステップＳＴ３２の判定の結果、取得した外部照度が規定値ＬＸａよりも暗かった場合、ステップＳＴ１以降の処理を行う。このステップＳＴ１以降の処理は、実施の形態１の図５に示す処理と同じである。
【００５８】
以上のように、この実施の形態３によれば、使用環境の明るさと表示データ１１の種別により、色変換処理を実施するようにしているので、操作に必要な表示の識別性を向上させると共に、再現性が重要視される画像データの表示に影響を与えずに表示することができるという効果が得られる。
【００５９】
また、この実施の形態３によれば、外部の明るさに応じて、カラー表示パネルの表示内容が識別しづらい場合にのみ色変換を行なうので、不要な色変換処理を行なわず、処理時間を短縮することができるという効果が得られる。
【００６０】
なお、上記実施の形態１から実施の形態３によるカラー表示システムは、携帯電話機、携帯情報端末等の携帯端末装置に適用されるものとして説明したが、ワークステーション、パソコン等の据置型ＯＡ機器に対しても適用できる。
【００６１】
【発明の効果】
以上のように、この発明によれば、記述言語により表現された表示データを入力し、上記表示データの記述内容が外部ファイルを参照しているか否かにより、上記表示データを再現性優先の表示データと識別性優先の表示データに分類する表示データ種別分類手段と、予め定められた色覚データを記憶する色変換テーブルと、上記表示データ種別分類手段が分類した識別性優先の表示データの中で、視覚障害を持つ使用者が識別しにくい表示色を、上記色変換テーブルに記憶されている色覚データを用いて識別しやすい表示色に変換し、色変換済み表示データを出力する色変換部と、上記表示データ種別分類手段が分類した再現性優先の表示データと、上記色変換部が出力した色変換済み表示データを合成し、ビデオ表示データに変換する表示データ合成部と、上記表示データ合成部が変換したビデオ表示データを画面上に表示するカラー表示パネルとを備えたことにより、操作に必要な表示の識別性を向上させ、再現性が重要視される画像データの表示に影響を与えずに表示することができると共に、全体の処理時間を短縮することができるという効果がある。
【００６４】
この発明によれば、表示データ種別分類手段が、参照した外部ファイルの形式により又は参照した外部ファイルが使用している色数により、入力した表示データを再現性優先の表示データと識別性優先の表示データに分類することにより、操作に必要な表示の識別性を向上させ、再現性が重要視される画像データの表示に影響を与えずに表示することができるという効果がある。
【００６５】
この発明によれば、記述言語により表現された表示データを入力し、外部照度が規定値より暗い場合に、上記表示データの記述内容が外部ファイルを参照しているか否かにより、再現性優先の表示データと識別性優先の表示データに分類する表示データ種別分類手段と、予め定められた色覚データを記憶する色変換テーブルと、上記表示データ種別分類手段が分類した識別性優先の表示データの中で、視覚障害を持つ使用者が識別しにくい表示色を、上記色変換テーブルに記憶されている色覚データを用いて識別しやすい表示色に変換し、色変換済み表示データを出力する色変換部と、上記表示データ種別分類手段が分類した再現性優先の表示データと、上記色変換部が出力した色変換済み表示データを合成し、ビデオ表示データに変換する表示データ合成部と、上記表示データ合成部が変換したビデオ表示データを画面上に表示するカラー表示パネルとを備えたことにより、操作に必要な表示の識別性を向上させ、再現性が重要視される画像データの表示に影響を与えずに表示することができると共に、不要な色変換処理を行なわず、全体の処理時間を短縮することができるといういう効果がある。
【００６６】
この発明によれば、記述言語により表現された表示データを入力し、上記表示データの記述内容が外部ファイルを参照しているか否かにより、上記表示データを再現性優先の表示データと識別性優先の表示データに分類する第１のステップと、上記識別性優先の表示データの中で、視覚障害を持つ使用者が識別しにくい表示色を識別しやすい表示色に変換し、色変換済み表示データを出力する第２のステップと、上記再現性優先の表示データと上記色変換済み表示データを合成し、ビデオ表示データに変換する第３のステップと、上記ビデオ表示データを画面上に表示する第４のステップとを備えたことにより、操作に必要な表示の識別性を向上させ、再現性が重要視される画像データの表示に影響を与えずに表示することができると共に、全体の処理時間を短縮することができるという効果がある。
【００６７】
この発明によれば、第１のステップにおいて、参照した外部ファイルの形式により又は参照した外部ファイルが使用している色数により、入力した表示データを再現性優先の表示データと識別性優先の表示データに分類することにより、操作に必要な表示の識別性を向上させ、再現性が重要視される画像データの表示に影響を与えずに表示することができるという効果がある。
【００６８】
この発明によれば、記述言語により表現された表示データを入力し、外部照度が規定値より暗い場合に、上記表示データの記述内容が外部ファイルを参照しているか否かにより、再現性優先の表示データと識別性優先の表示データに分類する第１のステップと、上記識別性優先の表示データの中で、視覚障害を持つ使用者が識別しにくい表示色を識別しやすい表示色に変換し、色変換済み表示データを出力する第２のステップと、上記再現性優先の表示データと上記色変換済み表示データを合成し、ビデオ表示データに変換する第３のステップと、上記ビデオ表示データを画面上に表示する第４のステップとを備えたことにより、操作に必要な表示の識別性を向上させ、再現性が重要視される画像データの表示に影響を与えずに表示することができると共に、不要な色変換処理を行なわず、全体の処理時間を短縮することができるといういう効果がある。
【図面の簡単な説明】
【図１】  この発明の実施の形態１による表示システムの構成を示すブロック図である。
【図２】  この発明の実施の形態１において記述言語により表現される表示データの構成の例を示す図である。
【図３】  この発明の実施の形態１において表示データをカラー表示パネル上に表示した例を示す図である。
【図４】  この発明の実施の形態１による仕様表を示す図である。
【図５】  この発明の実施の形態１による表示データの分類と色変換の処理を示すフローチャートである。
【図６】  この発明の実施の形態２による表示データの分類と色変換の処理を示すフローチャートである。
【図７】  この発明の実施の形態３による表示システムの構成を示すブロック図である。
【図８】  この発明の実施の形態３による仕様表を示す図である。
【図９】  この発明の実施の形態３による表示データの分類と色変換の処理を示すフローチャートである。
【図１０】  従来の表示システムの構成を示すブロック図である。
【符号の説明】
１  表示データ種別分類部、２  色変換テーブル、３  色変換部、４  表示データ合成部、５  カラー表示パネル、６  カメラ、１１  表示データ、１２  色変換しない表示データ、１３  色変換する表示データ、１４  色変換済み表示データ、１５  ビデオ表示データ、２１  ラベル表示データ、２２  写真表示データ、２３  ボタン表示データ、３１  表示されたラベルテキスト、３２  表示された写真、３３  表示されたボタン。
【図１】
0003761773.tif 000002
【図２】
0003761773.tif 000003
【図３】
0003761773.tif 000004
【図４】
0003761773.tif 000005
【図５】
0003761773.tif 000006
【図６】
0003761773.tif 000007
【図７】
0003761773.tif 000008
【図８】
0003761773.tif 000009
【図９】
0003761773.tif 000010
【図１０】
0003761773.tif 000011